(57)【特許請求の範囲】
【請求項１】
被取付部材に固定される固定部と、該固定部からほぼＵ字形状に立設されて、パイプや電線等の細長い部材を保持するＵ字形状の保持部を形成する一対のクランプアームで成るクランプ部と、該クランプ部の開口を閉じる蓋部とが一体的に形成され、前記細長い部材を前記クランプ部の開口から挿入して、前記開口を前記蓋部で閉じて該細長い部材を保持するように構成された、パイプや電線等の蓋付きクリップにおいて、
前記蓋部は、前記クランプアームの一方の外面に薄肉ヒンジによって連結されて該ヒンジによってクランプ部の開口を閉じるように旋回することができ、該蓋部には、前記クランプアームの他方に形成された係止部に係止する係止部が形成されて保持状態を維持することができ、
更に、前記薄肉ヒンジが形成された前記一方のクランプアームには、前記開口側端部に前記保持部から外側に突出する突出部が形成されており、前記蓋部には、前記一方のクランプアームの突出部に対応する位置に、該蓋部が閉じるように旋回したとき、前記突出部を受入れる凹部が形成されており、該凹部には、蓋部が閉じた状態にあるとき該閉じた状態をロックするように前記突出部と係合する係合肩が形成されており、更に、前記凹部には、蓋部が閉じた状態にあるとき保持部に収容した前記細長い部材の長手方向のいずれの方向に前記蓋部とクランプ部が相対的に移動しても、突出部が凹部から出ないように規制する規制壁部が前記突出部の前記長手方向の両側に形成されており、
前記係合肩は、前記蓋部が閉じた状態にあるときに前記突出部に接面する当接部と、前記蓋部が閉じた状態にあるときに前記突出部が前記当接部に接面するのを妨げない位置にある前記当接部の端部から前記突出部の端面に沿って立ち上がる端壁部とから成り、前記端壁部は前記規制壁部の一方の規制壁部から他方の規制壁部まで前記細長い部材の長手方向に延びて形成されている、
ことを特徴とする蓋付きクリップ。
【請求項２】
請求項１に記載の蓋付きクリップにおいて、前記蓋部の係合肩は、蓋部が閉じた状態にあるとき前記突出部と面接触するように形成されている、ことを特徴とする蓋付きクリップ。
【請求項３】
請求項１又は２に記載の蓋付きクリップにおいて、前記蓋部の凹部は、前記突出部を受入れるとともに、該突出部のための前記係合肩及び前記壁部を形成するように、前記蓋部の外側からくりぬかれた穴として形成され、該穴は、蓋部の旋回によって突出部を受入れるように形成された蓋部内側の開口に通じている、ことを特徴とする蓋付きクリップ。
【発明の詳細な説明】
【０００１】
【発明の属する技術分野】
本発明は、自動車や電機や家電や産業機械等のパイプや電線等の細長い部材を車体やその他の被取付部材に固定するクリップに関し、特に、パイプや電線等の細長い部材を被取付部材に固定するクリップに蓋が設けられた蓋付きクリップに関する。
【０００２】
【従来の技術】
パイプや電線等の細長い部材を車体等の被取付部材に固定する蓋付きクリップ蓋付きは公知である。特開昭５１−７０４８９号公報、実開昭５８−１８６２７７号公報、実開昭６３−７７１８４号公報には、蓋付きクリップの例が示されている。特開昭５１−７０４８９号公報のクリップは、一方が被取付部材への固定部であり他方が蓋部である２つの半円形状部材をヒンジで連結して、ヒンジ回りに蓋部側部材を旋回して中にケーブルを蓋で閉じて収容する。このクリップは、ヒンジ回りに蓋部側部材を旋回するだけでケーブルを保持できる利点がある。しかし、閉じた蓋部にケーブルが抜き出す方向に力が加わると、蓋部が撓んで係合部から抜き出る惧れがあった。実開昭５８−１８６２７７号公報の蓋付きクリップは、蓋側部材は固定側部材の軸回りに旋回する構成になっており、蓋側部材と固定側部材とが２部品として成形され、成形も組立も１部品構成のものより型が多く、また組立工数も多くなる。実開昭６３−７７１８４号公報のクリップは、固定部と蓋部とを一体成形ににより形成しているが、蓋部が閉じた状態で一方の端部が旋回軸によって固定されるため、旋回軸部分においてがたつきが生じ、保持したパイプがクリップの中でがたつく惧れがある。
【０００３】
【発明が解決しようとする課題】
上記の蓋付きクリップの外に、実開昭５５−１２０８７３号公報、意匠登録第５９５５２８号公報及び特開平１０−３０７５０号公報に、蓋付きクリップが開示されている。これらの蓋付きクリップは、被取付部材に固定される固定部と、この固定部からほぼＵ字形状に立設されて、パイプや電線等の細長い部材を保持するＵ字形状の保持部を形成する一対のクランプアームで成るクランプ部と、クランプ部の開口を閉じる蓋部とが一体的に形成され、細長い部材をクランプ部の開口から挿入して、開口を蓋部で閉じて細長い部材を保持するように構成されている。これらのクリップは、いずれも蓋部とクランプ部とがヒンジを介して一体成形されており、蓋部をヒンジ回りに旋回して蓋部を閉じた状態にした後は、ヒンジに隣接する位置で、ヒンジとは別の係合部が蓋部と固定側部に設けられてその閉じ状態を強固にしている。これらのクリップにおいて、クランプ部に保持した電線やパイプがその長手方向に相対的に移動すると、摩擦接触している蓋部をクランプ部に対して前記長手方向に相対的に移動させることがあり、その移動長さが大きいとヒンジに隣接する蓋部の係合部がクランプ部の係合部から離脱する惧れがあり、電線やパイプがクリップから外れてしまう惧れがある。
【０００４】
更に、特開平１０−２５９８８４号公報には、被取付部材に固定される固定部と、パイプや電線等の細長い部材を保持する半円形状のクランプ部と、クランプ部の開口を閉じる半円形状の蓋部とが一体的に形成され、細長い部材をクランプ部の開口から挿入して、開口を蓋部で閉じて細長い部材を保持する蓋付きクリップが開示されている。この蓋付きクリップの蓋部は、クランプ部の開口を閉じるように旋回することができる薄肉ヒンジによってクランプ部に連結され、蓋部の他方側には、クランプ部の他方側に形成された係止部に係止する係止部が形成されて保持状態を維持することができ、クランプ部外面にはヒンジに隣接して外側に突出する突出部が形成され、蓋部には、蓋部を閉じたとき突出部を受入れる凹部が形成されて、蓋の閉じ状態を強固にしている。このクリップには、クランプ部に保持した電線やパイプがその長手方向に相対的に移動した場合、摩擦接触している蓋部をクランプ部に対して長手方向に移動しないように規制する段差部が形成されている。しかし、これらの段差部は、半円形状クランプ部及び半円形状蓋部の周方向に沿って離れた２つの位置に設けられており、このため、成形型の形状が複雑になり、成形型も高価になる。
【０００５】
従って、本発明の目的は、閉じ状態を強固に維持し、クランプ部に保持した電線やパイプがその長手方向に相対的に移動しても、蓋部をクランプ部に対して長手方向に移動しないように規制して、閉じ状態を維持し、更に、成形型の形状を簡単にする、パイプや電線等の蓋付きクリップを提供することにある。
【０００６】
【課題を解決する手段】
かかる目的を達成するため、本発明によれば、被取付部材に固定される固定部と、該固定部からほぼＵ字形状に立設されて、パイプや電線等の細長い部材を保持するＵ字形状の保持部を形成する一対のクランプアームで成るクランプ部と、該クランプ部の開口を閉じる蓋部とが一体的に形成され、前記細長い部材を前記クランプ部の開口から挿入して、前記開口を前記蓋部で閉じて該細長い部材を保持するように構成された、パイプや電線等の蓋付きクリップであって、前記蓋部は、前記クランプアームの一方の外面に薄肉ヒンジによって連結されて該ヒンジによってクランプ部の開口を閉じるように旋回することができ、該蓋部には、前記クランプアームの他方に形成された係止部に係止する係止部が形成されて保持状態を維持することができ、更に、前記薄肉ヒンジが形成された前記一方のクランプアームには、前記開口側端部に前記保持部から外側に突出する突出部が形成されており、前記蓋部には、前記一方のクランプアームの突出部に対応する位置に、該蓋部が閉じるように旋回したとき、前記突出部を受入れる凹部が形成されており、該凹部には、蓋部が閉じた状態にあるとき該閉じた状態をロックするように前記突出部と係合する係合肩が形成されており、更に、前記凹部には、蓋部が閉じた状態にあるとき保持部に収容した前記細長い部材の長手方向のいずれの方向に前記蓋部とクランプ部が相対的に移動しても、突出部が凹部から出ないように規制する壁部が前記突出部の前記長手方向の両側に形成されており、前記係合肩は、前記蓋部が閉じた状態にあるときに前記突出部に接面する当接部と、前記蓋部が閉じた状態にあるときに前記突出部が前記当接部に接面するのを妨げない位置にある前記当接部の端部から前記突出部の端面に沿って立ち上がる端壁部とから成り、前記端壁部は前記規制壁部の一方の規制壁部から他方の規制壁部まで前記細長い部材の長手方向に延びて形成されていることを特徴とする蓋付きクリップが提供される。これによって、クランプ部のアームの突出部を受入れる凹部が、突出部を受入れることによって、係合肩が突出部に係合して蓋部の閉じ状態を強固に維持し、また両側の規制壁部によって突出部と凹部との相対的移動を規制するので、蓋部をクランプ部に対して長手方向に移動しないように規制して閉じ状態を維持することができ、更に、凹部に係合部も両壁部も形成されるので、成形型の形状を簡単にするとともに、成形型の価格を抑えることができる。
【０００７】
上記蓋付きクリップにおいて、蓋部が閉じるようにヒンジを中心として旋回するとき蓋部はてこの作用によって、凹部は突出部がやや厚くても中に受入れることができ、これによって突出部が凹部に緩み無く嵌合し、閉じ状態が一層強固になり、がたつきもない。また、蓋部の係合肩は、蓋部が閉じた状態にあるとき前記突出部と面接触するように形成されている。これによって、閉じ状態が一層強固に維持される。更に、蓋部の凹部は、突出部を受入れるとともに、突出部のための前記係合肩及び前記壁部を形成するように、蓋部の外側からくりぬかれた穴として形成され、該穴は、蓋部の旋回によって突出部を受入れるように形成された蓋部内側の開口に通じている。これによって、目的とする凹部が簡単な成形型で実現できる。
【０００８】
【発明の実施の形態】
本発明に係る蓋付きクリップについて、図面を参照しながら説明する。図１〜図３は、蓋部を閉じる前の蓋付きクリップ１の平面図、正面図、及び右側面図を示している。図４は、細長い部材であるパイプ２を、車体３（及び別のパネル３Ａ）等の被取付部材に、蓋付きクリップ１を用いて固定した状態を示す、クリップの正面図であり、図５は、図４のクリップ１のＡ−Ａ線断面図である。なお、図６は、蓋部を閉じる前の蓋付きクリップ１の蓋部の凹部とクランプ部の突起との関係を示す図である。
【０００９】
本発明に係る蓋付きクリップ１は、プラスチック材料で一体成形される。図１〜図３を参照すると、蓋付きクリップ１は、被取付部材（車体３等）に固定される固定部５と、固定部５からほぼＵ字形状に立設されて、パイプ２等の細長い部材を保持するＵ字形状の保持部６を形成する一対のクランプアーム７、９で成るクランプ部１０と、クランプ部１０の開口１１を閉じる蓋部１３とを包含する。これによって、パイプや電線等の細長い部材をクランプ部の開口１１から挿入して、開口１１を蓋部１３で閉じてパイプ等の細長い部材を保持する。図１及び図３に明らかなように、パイプ等の細長い部材の保持のため、蓋部１３及びクランプ部１４は、保持したパイプ等の長手方向に一定の長さをもって形成される。なお、図示の実施例においては、固定部５は、被取付部材である車体３（及びパネル３Ａ）に形成された取付穴に挿入することによって取付けられるフランジ１４及び錨脚１５から成る。固定部６の形状は、被取付部材に固定できる限り、他の任意の形状に形成できる。被取付部材にスタッドが固着されている場合には、固定部６は、そのスタッドに固定されるスタッド係止部として形成される。その場合、スタッドがいわゆるＴ−スタッドであればそれに適合した構成の固定部に形成され、スタッドがボルトスタッドであればそれに適合した構成の固定部に形成される。
【００１０】
蓋部１３は、クランプ部１０の一方のクランプアームの７の外面に薄肉のヒンジ１７によって連結されている。このヒンジ１７によって、蓋部１３は、クランプ部１０の開口１１を閉じるように旋回することができる。蓋部１３には、ヒンジ１７と反対側の端部に、蓋部係止部１８が形成されている。また、他方のクランプアーム９には、蓋部係止部１８を受入れて係止するクランプ部係止部１９が形成されている。図示の実施例では、クランプ部係止部１９は、蓋部係止部１８を受入れる受入穴として形成され、受入穴に入った蓋部係止部に係止する係止肩２０が形成されている。蓋部係止部１８は、クランプ部係止部１９に挿入される弾性係止爪２１として形成され、クランプ部係止部１９への挿入によって係止して蓋部１３を閉じ状態に維持する。蓋部係止部１８の弾性係止爪２１には、指やドライバ等の工具先端等によって押さえて係止を解除できる解除レバー２２が設けられている。蓋部１３の内側には、クランプ部１０の保持部６に収容したパイプ２等を押圧保持する形状の押さえ部２３が形成されている。また、蓋部１３の外側には、補強リブ２５が形成されて剛性を高く維持している。
【００１１】
薄肉のヒンジ１７が形成された別のクランプアーム７には、図２に図示のように、上端すなわち開口１１の側の端部に、Ｕ字形状の保持部６から外側に突出する突出部２６が形成されている。この突出部２６は、図３の破線で示すように、蓋部１３の幅より左右両側において短く形成されている。蓋部１３には、突出部２６に対応する位置に、蓋部１３が閉じるように旋回したとき、突出部２６を受入れる凹部２７が形成されている。凹部２７は、突出部２６を受入れるように、蓋部１３の外側からくりぬかれた穴として形成できるので、その成形型の形状は複雑でなく、基本的には簡単な割型で形成できる。そのくりぬき穴は、蓋部１３の旋回によって突出部２６を受入れるように形成された蓋部内側の開口２９（図２及び図３参照）に通じており、凹部２７を形成している。図６は、突出部２６と凹部２７との関係を詳細に示している。凹部２７には、蓋部１３が閉じた状態にあるときその閉じた状態をロックするように突出部２６と係合する係合肩３０が形成されている。係合肩３０は、蓋部１３が閉じた状態にあるとき突出部２６の下面と面接触するように形成されている。更に、凹部２７には、蓋部１３が閉じた状態にあるとき保持部６に収容したパイプ２等の細長い部材の長手方向のいずれの方向に蓋部１３とクランプ部１０が相対的に移動しても、突出部２６が凹部２７から出ないように規制する壁部壁部３１及び３１が、突出部２６の前記長手方向の両側に形成されている。この壁部３１、３１は、パイプ２を車体３（及び別のパネル３Ａ）にクリップ１を用いて固定した状態を示す図４のＡ−Ａ線断面図である図５にも示されている。
【００１２】
上記の構成で成る蓋付きクリップ１を用いて、細長い部材であるパイプ２を、被取付部材である車体３及び別のパネル３Ａに固定した様子が図４に示されている。クリップ１は、固定部５が車体３及び別のパネル３Ａの取付穴に挿入されてクリップ１が車体３等に固定されている。パイプ２は、クランプ部１０のＵ字形状の保持部に収容されており、蓋部１３は薄肉のヒンジ１７を中心に旋回して蓋部係止部１８がクランプ部係止部１９に係止して閉じ状態に保持されている。蓋部１３は、旋回の途中において、凹部２７がクランプアーム７の突出部２６を受入れて突出部下面を凹部２７の係合肩３０に面接触させる。これによって、ヒンジ１７の力を必要とせずに、閉じ状態を強固に維持する。このように、薄肉のヒンジ１７は蓋部１３を閉じ状態に維持するのに必要なくなるので、凹部２７に突出部２６が保持されれば、蓋部１３の旋回の途中で破断してもよい。
【００１３】
また、突出部２６は、図２に図示のように、クランプ部１０の高さ方向に一定の厚さＴをもって形成される。これに対して、蓋部凹部２７は、突出部２６の厚さＴに等しいかやや低い高さＨをもつように形成されるのが好ましい。このように凹部高さＨよりも突出部厚さＴがやや大きくても、蓋部１３が閉じるようにヒンジ１７を中心として旋回するとき、蓋部１３はてこの作用によって、突出部２６を凹部２７の中に受入れることができる。これによって、突出部２６が凹部２７に緩み無く嵌合し、閉じ状態が一層強固になり、がたつきも一層なくなる。
【００１４】
更に、クランプ部１０突出部２６を受入れる凹部２７の両側の壁部３１、３１が、突出部２６のパイプ長手方向の移動を規制するので、パイプ２が長手方向に移動して摩擦によって蓋部１３を長手方向に移動しようとしても、蓋部１３がクランプ部１０に対して長手方向に移動しないように規制される。この状態が図５に示されている。図５において、突出部２６が固定しており、蓋部１３が左右に移動しようとしても、両側の壁部３１によってその移動が阻止される。従って、蓋部１３は、その閉じ状態を維持し、パイプ２の抜け外れを防止できる。なお、パイプ２を取外す場合は、図４の解除レバー２２を矢印３３の側に倒せば、蓋部係止部１８がクランプ部係止部１９から抜け出し、蓋部１３を開放側に旋回することができる。
【００１５】
【発明の効果】
本発明の蓋付きクリップによれば、クランプ部のアームの突出部を受入れる凹部が、突出部を受入れることによって、係合部が突出部に係合して蓋部の閉じ状態を強固に維持し、また両側の壁部によって突出部と凹部との相対的移動を規制するので、蓋部をクランプ部に対して長手方向に移動しないように規制して閉じ状態を維持することができ、更に、凹部に係合部も両壁部も形成されるので、成形型の形状を簡単にするとともに、成形型の価格を抑えることができる。
【図面の簡単な説明】
【図１】  本発明に係る蓋付きクリップの蓋部を開放した状態の、クリップの平面図である。
【図２】  図１のクリップの正面図である。
【図３】  図１のクリップの右側面図である。
【図４】  図１のクリップを用いてパイプを車体等に固定した様子を示す、蓋部を閉じた図１のクリップ正面図である。
【図５】  図４のクリップのＡ−Ａ線断面図である。
【図６】  図１のクリップの突出部と凹部の関係を示す斜視図である。
【符号の説明】
１  蓋付きクリップ
２  パイプ
３  車体
５  固定部
６  保持部
７  クランプアーム
９  クランプアーム
１０  クランプ部
１１  開口
１３  蓋部
１４  フランジ
１５  錨脚
１７  薄肉のヒンジ
１８  蓋部係止部
１９  クランプ部係止部
２０  係止肩
２１  弾性係止爪
２２  解除レバー
２６  突出部
２７  凹部
２９  開口
３０  係合肩
３１  壁部
【図１】
0004733294.tif 000002
【図２】
0004733294.tif 000003
【図３】
0004733294.tif 000004
【図４】
0004733294.tif 000005
【図５】
0004733294.tif 000006
【図６】
0004733294.tif 000007